(57)【要約】【課題】  掻き取った毛髪状の塵や粉状の塵を効果的に外部に排出する。【解決手段】  隅ブラシ２２は、外側支持部材３３の円形溝４９内に基布４１の側縁を挿入し、基布４１を突出部４８の外周面に貼り付けて、外側支持部材３３に固定される。内側支持部材３２を外側支持部材３３に嵌合させて、ブラシ糸４２の根元を内側支持部材３２の突出部５１で押しつぶし、ブラシ糸４２における根元の密度を先端部の密度よりも高くする。こうして、ブラシ糸４２で掻き上げられた髪の毛が簡単に中心側に移動できないようにし、且つ、髪の毛がブラシ糸４２の根元に巻き付きにくくする。さらに、内側支持部材３２に設けられた６枚の羽部５２と、外側支持部材３３の前面に設けた４枚の羽部４７とで半径方向外向きの風を発生させて、ブラシ糸４２の根元に巻き付こうとする髪の毛を外周に向かって吹き飛ばす。【選択図】図６
2005253656.tif 000002
【特許請求の範囲】
【請求項１】
円筒状の基布と、上記基布に一端が固定された複数のブラシ糸とを含むブラシ部と、
上記ブラシ部を回転可能に支持する支持部材と、
駆動源からの駆動力によって回転すると共に、上記支持部材を介して上記ブラシ部を回転させる主回転体
を備えた電気掃除機の吸込口体であって、
上記ブラシ部のブラシ糸は、縮れた形状を有する捲縮糸であり、
上記支持部材は、
上記円筒状のブラシ部を一側から支持すると共に、嵌合部を有する第１支持部と、
上記円筒状のブラシ部を他側から支持すると共に、上記第１支持部の嵌合部に嵌合する嵌合部を有する第２支持部と、
上記第１支持部と第２支持部との少なくとも何れか一方に設けられると共に、上記円筒状のブラシ部におけるブラシ糸の根元を側方から押しつぶして、上記ブラシ糸の上記根元における密度を先端部における密度よりも高くする円形の突出部
を含んでおり、
上記ブラシ部を回転可能に支持した上記支持部材は、上記主回転体の少なくとも１側に連結されている
ことを特徴とする電気掃除機の吸込口体。
【請求項２】
請求項１に記載の電気掃除機の吸込口体において、
上記ブラシ部は、織物で構成されている
ことを特徴とする電気掃除機の吸込口体。
【請求項３】
請求項１に記載の電気掃除機の吸込口体において、
上記支持部材は、支持されているブラシ部よりも回転軸方向外側であって、上記ブラシ部における上記ブラシ糸の根元近傍に円周状に配列された複数の羽部を有している
ことを特徴とする電気掃除機の吸込口体。
【請求項４】
請求項１に記載の電気掃除機の吸込口体において、
上記支持部材は、支持されているブラシ部よりも回転軸方向内側であって、上記ブラシ部における上記ブラシ糸の根元近傍に円周状に配列された複数の羽部を有している
ことを特徴とする電気掃除機の吸込口体。
【請求項５】
請求項４に記載の電気掃除機の吸込口体において、
上記支持部材とこの支持部材が連結されている上記主回転体との間には、上記支持部材の回転軸を支持すると共に、非回転部に固定された固定部材が設けられており、
上記固定部材における上記支持部材側には、上記支持部材における回転軸方向内側の一部を収納する収納部を有しており、
上記支持部材における上記回転軸方向内側に設けられた複数の羽部は、上記固定部材の収納部とオーバーラップしている
ことを特徴とする電気掃除機の吸込口体。
【請求項６】
請求項１に記載の電気掃除機の吸込口体において、
下側の外殻を構成する下側ケーシングと、
上記下側ケーシングにおける上記ブラシ部が下から上に向かって回転する箇所に形成されると共に、上記ブラシ部の両側近傍に位置するリブを有するリブ材を設けた
ことを特徴とする電気掃除機の吸込口体。
【請求項７】
請求項１に記載の電気掃除機の吸込口体において、
下側の外殻を構成すると共に、上記主回転体の箇所には吸込口を有する下側ケーシングを備えて、
上記ブラシ部が下から上に向かって回転する側を後側とし、上記ブラシ部が上から下に向かって回転する側を前側とした場合に、
上記ブラシ部の側方から吸込まれた空気が、上記ブラシ部の上記後側を通過して、上記ブラシ部および主回転体の回転軸方向に流れて上記吸込口に至る第１の風路を設けた
ことを特徴とする電気掃除機の吸込口体。
【請求項８】
請求項６に記載の電気掃除機の吸込口体において、
上記下側ケーシングは、上記ブラシ部の軸受を下からカバーするカバー部を有しており、
上記リブ材は、上記カバー部に設けられている
ことを特徴とする電気掃除機の吸込口体。
【請求項９】
請求項７に記載の電気掃除機の吸込口体において、
上記下側ケーシングは、上記ブラシ部の軸受けを下からカバーするカバー部を有しており、
上記第１の風路は、上記カバー部によって形成されている
ことを特徴とする電気掃除機の吸込口体。
【請求項１０】
請求項１に記載の電気掃除機の吸込口体において、
上側の外殻を構成すると共に、空気取入穴を有する上側ケーシングと、
下側の外殻を構成する下側ケーシングを備えて、
上記ブラシ部が下から上に向かって回転する側を後側とし、上記ブラシ部が上から下に向かって回転する側を前側とした場合に、
上記上側ケーシングの空気取入穴から吸込まれた空気が、上記上側ケーシングと下側ケーシングとの間から、上記ブラシ部の上記後側に吹き付けられる第２の風路を設けた
ことを特徴とする電気掃除機の吸込口体。
【請求項１１】
請求項１に記載の電気掃除機の吸込口体において、
下側の外殻を構成すると共に、上記主回転体の箇所には吸込口を有する下側ケーシングを備えて、
上記ブラシ部が下から上に向かって回転する側を後側とし、上記ブラシ部が上から下に向かって回転する側を前側とした場合に、
上記ブラシ部の前方から吸込まれた空気が、上記ブラシ部の上記前側を通過して、上記ブラシ部および主回転体の回転軸方向に流れて上記吸込口に至る第３の風路を設けた
ことを特徴とする電気掃除機の吸込口体。
【請求項１２】
請求項１に記載の電気掃除機の吸込口体において、
上側の外殻を構成する上側ケーシングと、
上端部が上記上側ケーシングに取り付けられて、上記ブラシ部の側部を覆うと共に、柔軟性のある材料で形成されたバンパーを備えて、
上記支持部材と上記バンパーとの間には空間が形成されている
ことを特徴とする電気掃除機の吸込口体。
【請求項１３】
請求項１に記載の電気掃除機の吸込口体において、
上側の外殻を構成する上側ケーシングを備えて、
上記上側ケーシングにおける上記ブラシ部との対向面は、上記ブラシ部の外周面と所定の間隔を有する滑らかな面である
ことを特徴とする電気掃除機の吸込口体。
【請求項１４】
請求項１に記載の電気掃除機の吸込口体と、
上記吸込口体から塵埃を含む空気を吸引する電動送風機
を備えたことを特徴とする電気掃除機。
【発明の詳細な説明】
【技術分野】
【０００１】
この発明は、電気掃除機の吸込口体およびそれを備えた電気掃除機に関する。
【背景技術】
【０００２】
従来、電気掃除機用床ノズルとして図１０に示すようなものがある(例えば、特開平４‐１７６４２１号公報(特許文献１)参照)。この電気掃除機用床ノズルにおいては、モータやエアータービン等の駆動原によって回転駆動される主アジテータ１を有している。上記主アジテータ１の回転軸２は、ノズル本体３の側壁４よりも外側に突出しており、この側壁４から外側に突出している回転軸２の端部に副アジテータ５を取り付けている。そして、副アジテータ５の外側は、保護カバー６によって覆われている。
【０００３】
上記副アジテータ５は、回転軸２に取り付け固定される円形状の回転体７と、この回転体７の外周面に放射状に且つ先端が保護カバー６に向かって傾斜させて植設したブラシ毛等でなる攪拌部材８とから構成されている。また、副アジテータ５における回転体７の外側面には金属板９が貼り付けてある。
【０００４】
上記構成において、主アジテータ１によって掻き出された塵は掃除機の吸引力によって濾過部(図示せず)に排出される。また、部屋の隅を掃除する場合には、副アジテータ５の部分が部屋の壁に沿うようにノズル本体３を移動させることによって、副アジテータ５によって塵を掻き出して排出することができる。その際に、副アジテータ５の外側は、保護カバー６によって覆われているため、幼児が誤って手を近づけても、手が副アジテータ５の攪拌部材８に触れることは無い。さらに、攪拌部材８によって掻き上げられた塵が副アジテータ５と保護カバー６との間に侵入しても、回転体６の側面には金属板９が貼り付けてあるので摩擦抵抗は少なく、回転負荷の増加にはならないという特徴を有している。
【０００５】
しかしながら、上記従来の電気掃除機用床ノズルにおいては以下のような問題がある。すなわち、副アジテータ５の攪拌部材８は、ブラシ毛等の剛性の大きなモノフィラメント(単独に使用される１本の繊維)であり、真っ直ぐな状態で回転体７の外周面に放射状に植毛されている。したがって、床面から掻き取られて放出されずに絡み付いた髪の毛が、次に絡み付いた髪の毛に押されて順次回転体７側に向かって押し付けられることになる。
【０００６】
こうして、上記攪拌部材８の根元に絡み付いた髪の毛等は、適宜除去されれば問題はないのであるが、放置されるのが一般的である。そして、その量が多くなると回転体７および保護カバー６を押し付けて、合成樹脂性の回転体７や保護カバー６を変形させることになる。そのため、金属板９との摩擦抵抗は少ないとは言っても、やがてはその摩擦抵抗も無視できない程度に大きくなり、発熱したり、軸受けを締め付けたりして、故障の原因となる。
【０００７】
また、上記ブラシ毛等のモノフィラメントは曲げ剛性が高く、フローリング床に対して傷を付ける恐れがある。副アジテータ５は、上述したように部屋の壁際において機能を発揮するものであるが、壁際以外の場所でも回転動作しており、上記フローリング床に対する傷付けの問題は、無視することができないのである。
【特許文献１】特開平４‐１７６４２１号公報
【発明の開示】
【発明が解決しようとする課題】
【０００８】
そこで、この発明の課題は、フローリング床に傷を付けることなく、部屋の壁際において掻き取った毛髪状の塵や粉状の塵を効果的に外部に排出できる電気掃除機の吸込口体およびそれを備えた電気掃除機を提供することにある。
【課題を解決するための手段】
【０００９】
上記課題を解決するため、この発明は、円筒状の基布と上記基布に一端が固定された複数のブラシ糸とを含むブラシ部と、上記ブラシ部を回転可能に支持する支持部材と、駆動源からの駆動力によって回転すると共に上記支持部材を介して上記ブラシ部を回転させる主回転体、を備えた電気掃除機の吸込口体であって、上記ブラシ部のブラシ糸は縮れた形状を有する捲縮糸であり、上記支持部材は、上記円筒状のブラシ部を一側から支持すると共に嵌合部を有する第１支持部と、上記円筒状のブラシ部を他側から支持すると共に上記第１支持部の嵌合部に嵌合する嵌合部を有する第２支持部と、上記第１支持部と第２支持部との少なくとも何れか一方に設けられると共に、上記円筒状のブラシ部におけるブラシ糸の根元を側方から押しつぶして、上記ブラシ糸の上記根元における密度を先端部における密度よりも高くする円形の突出部、を含んでおり、上記ブラシ部を回転可能に支持した上記支持部材は上記主回転体の少なくとも１側に連結されていることを特徴としている。
【００１０】
上記構成によれば、上記ブラシ部のブラシ糸は捲縮糸である。したがって、細かい周期で縮れているため夫々のフィラメント(繊維)は互いに交錯しており、掻き取られた髪の毛や糸屑が上記基布に向かって容易に進入可能な隙間は形成されない。さらに、上記従来の副アジテータの攪拌部材のような剛性の大きなモノフィラメントのストレート糸である場合に比して、柔軟性が在り、フローリング床に傷を付ける恐れはない。
【００１１】
さらに、円筒状のブラシ部を一側から支持する第１支持部と他側から支持する第２支持部の何れか一方に設けられた円形の突出部によって、上記筒状のブラシ部におけるブラシ糸の根元を側方から押しつぶして、上記ブラシ糸の上記根元における密度を先端部における密度よりも高くしている。したがって、髪の毛や糸屑が上記ブラシ糸の根元に巻き付きにくくでき、髪の毛や糸屑が上記ブラシ糸の根元に巻き付くのを防止できる。
【００１２】
また、１実施例の電気掃除機の吸込口体では、上記ブラシ部は織物で構成されている。
【００１３】
この実施例によれば、上記ブラシ部を織物で構成しているので、植毛等で構成する場合に比して、上記ブラシ糸を構成するフィラメントを極細く形成すると共に、上記ブラシ糸の密度を容易に高めることができる。
【００１４】
また、１実施例の電気掃除機の吸込口体では、上記支持部材は、支持されているブラシ部よりも回転軸方向外側であって、上記ブラシ部における上記ブラシ糸の根元近傍に円周状に配列された複数の羽部を有している。
【００１５】
この実施例によれば、上記主回転体によって上記支持部材が回転されると、上記ブラシ部よりも回転軸方向外側に設けられた羽部によって、軸方向外向きから半径方向外向きの風を発生させることができる。したがって、外側から上記ブラシ糸の根元に巻き付こうとする髪の毛や糸屑を外周に向かって吹き飛ばすことができる。
【００１６】
また、１実施例の電気掃除機の吸込口体では、上記支持部材は、支持されているブラシ部よりも回転軸方向内側であって、上記ブラシ部における上記ブラシ糸の根元近傍に円周状に配列された複数の羽部を有している。
【００１７】
この実施例によれば、上記主回転体によって上記支持部材が回転されると、上記ブラシ部よりも回転軸方向内側に設けられた羽部によって、半径方向外向きの風を発生させることができる。したがって、上記ブラシ糸の根元に巻き付こうとする髪の毛や糸屑を半径方向外向きの風によって吹き飛ばすことができる。
【００１８】
また、１実施例の電気掃除機の吸込口体では、上記支持部材とこの支持部材が連結されている上記主回転体との間には、上記支持部材の回転軸を支持すると共に、非回転部に固定された固定部材が設けられており、上記固定部材における上記支持部材側には上記支持部材における回転軸方向内側の一部を収納する収納部を有しており、上記支持部材における上記回転軸方向内側に設けられた複数の羽部は上記固定部材の収納部とオーバーラップしている。
【００１９】
この実施例によれば、上記支持部材が上記固定部材に対してクリアランスの分だけ外側に移動した場合でも、上記支持部材と上記固定部材との間に半径方向外向きの風が発生しない領域は生じない。したがって、上記ブラシ部によって、多数本の髪の毛や糸屑が同時に掻き取られて総ての髪の毛や糸屑が排出されるまでには時間が掛かる場合でも、一時滞留している髪の毛や糸屑が上記支持部材と上記固定部材との間に入り込むことが防止される。
【００２０】
また、１実施例の電気掃除機の吸込口体では、下側の外殻を構成する下側ケーシングと、上記下側ケーシングにおける上記ブラシ部が下から上に向かって回転する箇所に形成されると共に上記ブラシ部の両側近傍に位置するリブを有するリブ材を設けている。
【００２１】
この実施例によれば、上記ブラシ部によって掻き取られて、上記ブラシ糸に付着したまま回転しようとする輪ゴムを、上記リブ材のリブによって引っ掛けて上記ブラシ糸から強制的に除去することができる。
【００２２】
また、１実施例の電気掃除機の吸込口体では、下側の外殻を構成すると共に上記主回転体の箇所には吸込口を有する下側ケーシングを備えて、上記ブラシ部が下から上に向かって回転する側を後側とし、上記ブラシ部が上から下に向かって回転する側を前側とした場合に、上記ブラシ部の側方から吸込まれた空気が上記ブラシ部の上記後側を通過して上記ブラシ部及び主回転体の回転軸方向に流れて上記吸込口に至る第１の風路を設けている。
【００２３】
この実施例によれば、上記ブラシ部によって掻き取られた髪の毛や糸屑を、上記第１の風路を通る風によって速やかに上記吸込口に排出することができる。
【００２４】
また、１実施例の電気掃除機の吸込口体では、上記下側ケーシングは上記ブラシ部の軸受を下からカバーするカバー部を有しており、上記リブ材は上記カバー部に設けられている。
【００２５】
この実施例によれば、上記リブ材と上記カバー部とを一体に形成することができ、部品点数を削減することができる。
【００２６】
また、１実施例の電気掃除機の吸込口体では、上記下側ケーシングは上記ブラシ部の軸受を下からカバーするカバー部を有しており、上記第１の風路は上記カバー部によって形成されている。
【００２７】
この実施例によれば、上記カバー部が在っても上記第１の風路を形成することが可能になる。
【００２８】
また、１実施例の電気掃除機の吸込口体では、上側の外殻を構成すると共に空気取入穴を有する上側ケーシングと、下側の外殻を構成する下側ケーシングを備えて、上記ブラシ部が下から上に向かって回転する側を後側とし、上記ブラシ部が上から下に向かって回転する側を前側とした場合に、上記上側ケーシングの空気取入穴から吸込まれた空気が上記上側ケーシングと下側ケーシングとの間から上記ブラシ部の上記後側に吹き付けられる第２の風路を設けている。
【００２９】
この実施例によれば、上記ブラシ部によって掻き取られて上記ブラシ糸に付着したまま回転しようとする髪の毛や糸屑を、上記第２の風路からの風によって強制的に上記ブラシ糸から引き剥がすことができる。したがって、上記ブラシ糸から引き剥がされた髪の毛や糸屑を、例えば上記第１の風路の風によって上記吸込口に排出することによって、上記ブラシ部によって掻き取られた髪の毛や糸屑を、より効率よく上記吸込口に排出することができる。
【００３０】
また、１実施例の電気掃除機の吸込口体では、下側の外殻を構成すると共に上記主回転体の箇所には吸込口を有する下側ケーシングを備えて、上記ブラシ部が下から上に向かって回転する側を後側とし、上記ブラシ部が上から下に向かって回転する側を前側とした場合に、上記ブラシ部の前方から吸込まれた空気が上記ブラシ部の上記前側を通過して上記ブラシ部及び主回転体の回転軸方向に流れて上記吸込口に至る第３の風路を設けている。
【００３１】
この実施例によれば、上記ブラシ部の前方から空気と共に吸込まれた髪の毛を等含む塵は、上記第３の風路を通る風によって、上記ブラシ部によって掻き取られる前に上記吸込口に排出することができる。
【００３２】
また、１実施例の電気掃除機の吸込口体では、上側の外殻を構成する上側ケーシングと、上端部が上記上側ケーシングに取り付けられて上記ブラシ部の側部を覆うと共に柔軟性のある材料で形成されたバンパーを備えて、上記支持部材と上記バンパーとの間には空間が形成されている。
【００３３】
この実施例によれば、上記ブラシ部の側部は柔軟性のあるバンパーによって保護されている。したがって、屋内の壁に傷を付けることがない。さらに、上記支持部材と上記バンパーとの間には空間が形成されているので、上記ブラシ部や支持部材等の回転体を抵抗無く保護することができる。さらに、上記支持部材が外側に羽部を有している場合には、上記羽部による風によって、髪の毛を回転体に巻き付かない位置まで吹き飛ばすことができる。
【００３４】
また、１実施例の電気掃除機の吸込口体では、上側の外殻を構成する上側ケーシングを備えて、上記上側ケーシングにおける上記ブラシ部との対向面は、上記ブラシ部の外周面と所定の間隔を有する滑らかな面である。
【００３５】
この実施例によれば、上記ブラシ部で掻き取られて上記ブラシ糸から剥がれずに回転する髪の毛を含む塵が、上記ブラシ部の外周面と所定の間隔を有する滑らかな面で形成された上記ブラシ部との対向面に付着することを防止できる。
【００３６】
また、この発明の電気掃除機は、この発明の電気掃除機の吸込口体と、上記吸込口体から塵埃を含む空気を吸引する電動送風機を備えたことを特徴としている。
【００３７】
上記構成によれば、空気と共に塵が吸込まれる吸込口体として、この発明の電気掃除機の吸込口体が用いられている。したがって、室内における壁際にある髪の毛や糸屑や微粉末とを効率よく吸引して除去することができる。
【発明の効果】
【００３８】
以上より明らかなように、この発明の電気掃除機の吸込口体は、ブラシ部の複数のブラシ糸を捲縮糸で構成したので、夫々のフィラメント(繊維)は互いに交錯して、掻き取られた髪の毛や糸屑が上記基布に向かって進入するのを防止できる。さらに、剛性の大きなモノフィラメントのストレート糸に比して柔軟性が在り、フローリング床に傷を付けることを防止できる。
【００３９】
さらに、円筒状のブラシ部を一側から支持する第１支持部と他側から支持する第２支持部の何れか一方に設けられた円形の突出部によって、上記円筒状のブラシ部におけるブラシ糸の根元を側方から押しつぶして、上記ブラシ糸の上記根元における密度を先端部における密度よりも高くしたので、髪の毛や糸屑が上記ブラシ糸の根元に巻き付くのを防止できる。
【００４０】
また、上記第１,第２支持部で成る支持部材におけるブラシ部よりも回転軸方向外側や内側に複数の羽部を設ければ、上記羽部によって発生された軸方向外向きから半径方向外向きの風によって、上記ブラシ糸の根元に巻き付こうとする髪の毛や糸屑を外周に向かって吹き飛ばすことができる。
【００４１】
また、この発明の電気掃除機は、この発明の電気掃除機の吸込口体と、上記吸込口体から塵埃を含む空気を吸引する電動送風機を備えたので、室内における壁際にある髪の毛や糸屑や微粉末とを効率よく吸引して除去することができる。
【発明を実施するための最良の形態】
【００４２】
以下、この発明を図示の実施の形態により詳細に説明する。図１は、本実施の形態の吸込み口体を備えた電気掃除機における概観図である。この電気掃除機は、掃除機本体１１と延長管１２と吸込口体１３とから概略構成される。
【００４３】
上記掃除機本体１１は、電動送風機(図示せず)と集塵装置(図示せず)とを備えており、上記電動送風機の動作によって、吸込口体１３の吸込口１６(図２参照)から空気と共に吸い込まれた塵埃や砂やその他の糸屑や毛髪等を、上記集塵装置で除去する。尚、延長管１２は、吸込口体１３から吸い込まれた空気と塵埃等を掃除機本体１１に導くための連通管である。
【００４４】
図２は、上記吸込口体１３の床側から見た正面図である。尚、ここで、上記床とは、絨毯,畳,フローリング等を総称している。１４は、吸込口体１３の床側の外殻を構成する下側ケーシングである。この下側ケーシング１４は、図５に示す吸込口体１３の天井側の外殻を構成する上側ケーシング１５と一体となって、吸込口体１３の外殻を構成する。尚、「Ａ］側が、操作者が電気掃除機を操作する場合に前方となる側である。また、「Ｂ］側が、後方となる側である。以後、Ａ側を前側と言う一方、Ｂ側を後側と言う。
【００４５】
上記下側ケーシング１４は、上側ケーシング１５と一体となって吸込口体１３の外殻を構成する際に、前側に上述した吸込口１６となる開口部を形成するようになっている。そして、吸込口１６の壁面１６aの中央部には、延長管１２に連通する連通口１７が形成されている。
【００４６】
また、上記吸込口１６の前後方向中間部には上記前後方向と直交する方向に延在して上記主回転体としての回転ブラシ１８が配設されており、例えば、吸込口体１３内後方に収納されたモータ１９と、このモータ１９の回転を回転ブラシ１８の軸２０に伝達する回転伝達手段２１とによって、回転される。また、回転ブラシ１８の軸２０の両端には回転ブラシ１８の両端より突出した突出軸部が設けてあり、この２つの突出軸部の先端部の夫々には、上記突出軸部の回転軸から垂直方向に放射状に所定長Ｌ(図８(a)参照)で延在する所定幅Ｗ(図８(a)参照)を有する上記ブラシ部としての隅ブラシ２２,２２が取り付け・固定されている。こうして、隅ブラシ２２は、回転ブラシ１８と同期して回転するようになっている。ここで、隅ブラシ２２は、上記後側で下から上へ向うように回転される。
【００４７】
上記構成において、上記モータ１９によって、回転伝達手段２１を介して軸２０が回転されると、回転ブラシ１８が例えば６０００rpmで回転する。そして、吸込口１６内において、床面の塵,埃,糸屑,髪の毛,砂,粉等が掻き上げられる。こうして、掻き上げられた上記塵,埃,糸屑,髪の毛,砂,粉等は、上記掃除機本体１１内の電動送風機の駆動によって吸込口１６から吸い込まれた空気と共に、延長管１２を介して掃除機本体１１の上記集塵装置に送出されるのである。ところで、吸込口体１３を部屋の壁際に沿って壁と平行に移動させる場合には、部屋の壁際に在る特に糸屑,髪の毛,粉等は、回転ブラシ１８によって掻き上げることができない。そこで、このような部屋の壁際に在る糸屑,髪の毛,粉等は、隅ブラシ２２によって掻き上げるのである。尚、２３,２３は、吸込口体１３の後部両側に設けられて、吸込口体１３の移動を滑らかにするためのローラである。
【００４８】
図３は、図２における隅ブラシ２２の部分の部分拡大図である。また、図４は、図３におけるＣ‐Ｃ'矢視断面図である。また、図５は、図３の側面図である。以下、図３〜図５に従って行う隅ブラシ２２の取り付け構造と隅ブラシ２２の周囲の構造とは、反対側の隅ブラシ２２に関しても同様である。
【００４９】
図３において、２５は、上記下側ケーシング１４の一部を構成すると共に、軸２０の軸受部を床面側から覆うカバーである。このカバー２５は、後部２５a,前部２５bおよび中間部２５cの３つの部分から構成されている。カバー２５の後部２５aは、下側ケーシング１４と同一面を形成すると共に、ネジ２６によってカバー２５全体を下側ケーシング１４に対して取り付け可能になっている。また、カバー２５の前部２５bは、図４に示すように、回転ブラシ１８の突出軸部２７を回転自在に支持する軸受部２８を覆うと共に、表面には起毛布２９が貼り付けられている。また、カバー２５の後部２５aと前部２５bとの間の中間部２５cは、後部２５aの面よりも低い(床面からは高い)面を有する凹部を形成している。
【００５０】
そして、上記後部２５aにおける隅ブラシ２２と対向する位置には、隅ブラシ２２を両側から挟み込むように両側近傍に位置し、且つ、前方に延在する２本のリブ３０a,３０bを有するリブ材３０が、カバー２５と一体に設けられている。こうして、図５において、上側ケーシング１５に取り付けられて前部と側部とを覆うバンパー３１のうち、側部を覆う側部バンパー３１aの下やカバー２５の下から進入した空気は、図３において矢印(イ)で示すように、カバー２５の後部２５a,リブ材３０および前部２５bで成る凸部と中間部２５cで成る凹部とで形成される風路を通って、隅ブラシ２２の後側を通過して滑らかに吸込口１６に導かれるのである。
【００５１】
図４は、上記回転ブラシ１８の突出軸部２７に対する上記隅ブラシ２２の取り付け構造を示す。隅ブラシ２２は、突出軸部２７に対して固定される内側支持部材３２と外側支持部材３３とによって挟み込まれて、回転可能に突出軸部２７に取り付けられる。図６は隅ブラシ２２の取り付け構造の拡大図であり、図６(a)は、外側支持部材３３側から見た側面図である。また、図６(b)は、突出軸部２７の回転軸を含む縦断面図である。つまり、内側支持部材３２および外側支持部材３３で、上記第１支持部および第２支持部を構成するのである。
【００５２】
図６において、上記突出軸部２７の一端は、円筒状の基本形状を有する連結部材３５の中心軸に沿って挿入・固定されて、突出軸部２７と連結部材３５とは一体に形成されている。そして、突出軸部２７は、連結部材３５によって、回転ブラシ１８の軸２０の一端に同軸に取り付け固定される。さらに、突出軸部２７は、下側ケーシング１４に固定される固定部材３６の軸穴に挿入されると共に、その他端を固定部材３６から突出させており、固定部材３６の軸穴の周囲に設けられた軸受２８によって回転自在に軸支されている。また、連結部材３５の外周面には、例えば回転伝達手段２１の一部としてのタイミングベルトの歯が歯合する歯３５aが形成されている。
【００５３】
上記突出軸部２７の固定部材３６から突出している先端部分２７aの外周には互いに対向する２つの平面が形成されており、先端部分２７aの断面は概略レーストラック状になっている。また、隅ブラシ２２を挟み込み内側支持部材３２と外側支持部材３３とには、後に詳述するように、突出軸部２７の先端部分２７aと略同じ形状の概略レーストラック状の中心穴が設けられており、突出軸部２７の先端部分２７aに挿通された内側支持部材３２と外側支持部材３３とは突出軸部２７と共にガタツキが無く回転可能になっている。
【００５４】
以下、本願の特徴である（Ａ)隅ブラシ２２の構造と（Ｂ)内側支持部材３２および外側支持部材３３の構造と（Ｃ)内側支持部材３２および外側支持部材３３による隅ブラシ２２の支持構造と（Ｄ)隅ブラシ２２周りの風路について順次説明する。
【００５５】
(Ａ）隅ブラシ２２の構造について
図８に、上記隅ブラシ２２の概略構成を示す。但し、図８(a)は側面図であり、図８(b)は正面斜視図である。図８において、隅ブラシ２２は、基布４１と基布４１の面からこの面に略垂直方向に延在するブラシ糸４２から構成されている。尚、図８は模式図であり、ブラシ糸４２の形状や本数や密度等は実際とは異なる。
【００５６】
上記基布４１は、経糸と緯糸とから成る織物で構成される。ブラシ糸４２は、ナイロンやポリプロピレン等の極細いフィラメントを複数本合せたマルチフィラメント糸に捲縮加工を与えた捲縮糸を所定の長さＬに切り揃えて構成される。したがって、図１０に示す従来の電気掃除機用床ノズルの攪拌部材８のごとく剛性の大きなモノフィラメントを真っ直ぐな状態で放射状に植毛した場合とは異なり、図８においては省略しているが、個々のフィラメントは、極細であって細かな周期で縮れており、夫々のフィラメントは互いに交錯して髪の毛が基布４１に向かって進入するのを容易に許すような隙間は生ずることがないのである。さらに、個々のフィラメントは密集しているために、恰もそのカット面は平面を形成しているかのようである。したがって、細い髪の毛や片栗粉のような微粒子でも容易に掻き上げることができる。さらに、極細のフィラメントを使用しているために軟らかく、フローリング床に対して傷を付ける恐れは無いのである。
【００５７】
ところで、上述したように、経糸と緯糸とから成る織物で構成された基布４１から、マルチフィラメントの捲縮糸で構成されたブラシ糸４２を略垂直方向に所定長Ｌで延在して構成される隅ブラシ２２の実現方法については、特に限定するものでは無い。本実施の形態においては、上記構成を有する隅ブラシ２２を織物で実現している。例えば、パイルを切りながら２枚のビロードを同時に織る織機である二重ビロード織機を利用し、上記パイル糸として、ブラシ糸４２となるマルチフィラメントの捲縮糸を用いることによって、隅ブラシ２２を織物で実現することができる。このように、隅ブラシ２２を織物で構成することによって、ブラシ糸４２の密度を、植毛の場合に比して格段に大きくすることができるのである。また、個々のフィラメントの太さも細くすることができる。
【００５８】
(Ｂ）内側支持部材３２および外側支持部材３３の構造について
図７に、上記内側支持部材３２および外側支持部材３３を外側から見た正面図を示す。但し、図７(a)は外側支持部材３３の正面図であり、図７(b)は内側支持部材３２の正面図である。尚、内側支持部材３２および外側支持部材３３の断面は図６に示す通りである。
【００５９】
図６(b)に示すように、上記外側支持部材３３は、円板の周囲を軸方向外側に折り曲げると共に、軸方向最外側を再度軸方向内側に湾曲させた断面形状を有している。そして、図７(a)に示すように、外側の面における凹部４５の周囲の凸部４６から上記凹部４５への傾斜面には、所定の幅を有すると共に、凸部４６の面と同じレベルで中心に向って延在して、回転時に外向きの風を発生させる羽として機能する４枚のリブ４７a〜４７dを等間隔に形成している。以下、リブ４７a〜４７dを「羽部」と言う場合もある。
【００６０】
また、上記外側支持部材３３の内側の面における上記外側への折曲部には、この折曲部における外周面と同じ半径を有すると共に、所定厚みを有する円筒形の突出部４８が形成され、上記折曲部の外周面と突出部４８の外周面とで、上記構成を有する隅ブラシ２２の基布４１を巻き付けるための円筒状の面を形成している。そして、外側支持部材３３の軸方向最外側において再度軸方向内側に湾曲させた箇所で、隅ブラシ２２の基布４１の側縁を挟み込んで収納・固定する円形溝４９を構成している。また、外側支持部材３３の中心には、上述したように、突出軸部２７の先端部分２７aが挿通される概略レーストラック状の中心穴５０が形成されている。
【００６１】
次に、上記内側支持部材３２について説明する。図６(b)に示すように、内側支持部材３２の外側面は、外側支持部材３３の内側面に嵌合可能に形成されている。すなわち、内側支持部材３２は円板状を成しており、図７(b)に示すように、外側支持部材３３の円形溝４９の外径と略同じ内径を有する円筒形の突出部５１が形成され、この突出部５１の外周面には、内側支持部材３２の外周端まで延在して、回転時に半径方向外向きの風を発生させる羽として機能する６枚のリブ５２a〜５２fが等間隔に形成されている。以下、リブ５２a〜５２fを「羽部」と言う場合もある。さらに、外側支持部材３３の内側の面に設けられた嵌合凹部(図６(b)を参照)に嵌合可能な嵌合凸部５３が形成されている。また、内側支持部材３２の中心には、上述したように、突出軸部２７の先端部分２７aが挿通される概略レーストラック状の中心穴５４が形成されている。
【００６２】
ここで、上記内側支持部材３２の突出部５１は、内側支持部材３２の外側面が外側支持部材３３の内側面に対して嵌合された状態で、内側支持部材３２の突出部５１における内周面と外側支持部材３３の突出部４８の外周面との間には、隅ブラシ２２の基布４１の厚みと同程度の隙間が生ずるようになっている。また、外側支持部材３３の上記湾曲させた箇所の先端と内側支持部材３２の突出部５１の先端との間には、図８(a)に示すブラシ糸４２の幅Ｗよりも狭い間隔が生ずるようになっている。
【００６３】
(Ｃ）内側支持部材３２および外側支持部材３３による隅ブラシ２２の支持構造について
上記構成を有する隅ブラシ２２は、以下のようにして、内側支持部材３２と外側支持部材３３とによって支持され、突出軸部２７の先端部分２７aに取り付け固定されるのである。先ず、隅ブラシ２２を、外側支持部材３３における円筒形の突出部４８の外周の長さと同じ長さに切断し、基布４１の部分を突出部４８の外周面に貼り付ける。その際に、基布４１の側縁を円形溝４９内に挿入して固定する。
【００６４】
そうした後、図６(b)に示すように、上記内側支持部材３２の外側面に設けられた突出部５１の内面を、外側支持部材３３の突出部４８の外周面に貼り付けられた隅ブラシ２２の基布４１の上面に摺接させて、内側支持部材３２の嵌合凸部５３を外側支持部材３３の上記嵌合凹部に嵌合させて、内側支持部材３２を外側支持部材３３に嵌合するのである。その際に、内側支持部材３２の概略レーストラック状の中心穴５４と外側支持部材３３の概略レーストラック状の中心穴５０との形状は、ちょうど重なり合うようになっている。
【００６５】
その場合に、上述したように、上記突出部５１の内周面と突出部４８の外周面との間には基布４１の厚みと同程度の隙間が生ずるため、外側支持部材３３の突出部４８の外周面に貼り付けられた隅ブラシ２２の基布４１を、外側支持部材３３の円形溝４９と内側支持部材３２の突出部５１とで挟んで確実に固定できるのである。さらに、上述したように、外側支持部材３３の上記湾曲箇所の先端と内側支持部材３２の突出部５１の先端との間隔を、ブラシ糸４２の幅Ｗよりも狭い間隔になるようにしている。したがって、隅ブラシ２２におけるブラシ糸４２の軸方向内側の根元を、内側支持部材３２における突出部５１の先端で押しつぶすことになり、図６(b)に示すように、ブラシ糸４２に関する根元の密度が先端部の密度よりも高くなるのである。但し、図６(b)では、模式的に表現されているため、ブラシ糸４２の屈曲形状や密度や本数は実際とは異なる。また、突出部５１によって押しつぶされたブラシ糸４２の根元は突出部５１の下敷きとなっているが、図６(b)では省略している。
【００６６】
上述のようにして、上記内側支持部材３２と外側支持部材３３とによって支持された隅ブラシ２２は、内側支持部材３２の中心穴５４と外側支持部材３３の中心穴５０とに突出軸部２７の先端部分２７aが挿通され、スナップリング５５で固定されることによって、隅ブラシ２２は内側支持部材３２および外側支持部材３３と共に、突出軸部２７に取り付け固定されるのである。
【００６７】
ところで、上述したように、上記ブラシ糸４２としてマルチフィラメントの捲縮糸を使用しているために、掻き上げられた髪の毛は簡単に中心側に移動できない。ところが、髪の毛がブラシ糸４２の根元に巻き付こうとするのを防止することはできない。そこで、本実施の形態においては、ブラシ糸４２の根元を内側支持部材３２の突出部５１で押しつぶして、ブラシ糸４２の根元の密度を高めている。こうすることによって、髪の毛等がブラシ糸４２の根元に巻き付きにくくすることができるのである。
【００６８】
尚、本実施の形態においては、ブラシ糸４２の根元を内側支持部材３２の突出部５１で軸方向内側から押しつぶすようにしているが、外側支持部材３３の上記湾曲箇所で軸方向外側から押しつぶすようにすることもできる。さらに、内側支持部材３２の突出部５１と外側支持部材３３の上記湾曲箇所とで両側から押しつぶすようにしても差し支えない。
【００６９】
(Ｄ）隅ブラシ２２周りの風路について
上述したように、本実施の形態においては、上記隅ブラシ２２のブラシ糸４２としてマルチフィラメントの捲縮糸を使用することによって、掻き上げられた髪の毛が簡単に中心側に移動できないようにし、且つ、髪の毛がブラシ糸４２の根元に巻き付きにくくできるのであるが、そのまま放置しておくと、隅ブラシ２２の根元に巻き付くことになる。そこで、ブラシ糸４２内に保持されている髪の毛は速やかに吸込口１６に導く必要があり、そのために本実施の形態においては、以下に説明するような種々の風路を設けている。
【００７０】
ところで、上記構成を有する隅ブラシ２２を約６０００rpmで回転した場合、ブラシ糸４２が存在する部分には半径方向外側に向かう風が発生するため、ブラシ糸４２内に保持されている髪の毛は外側に放出される。ところが、隅ブラシ２２を保持している内側支持部材３２および外側支持部材３３の部分には、寧ろ中心側に向かう風が発生する。そのため、ブラシ糸４２の根元に巻き付こうとする髪の毛は容易に巻き付くことができる。
【００７１】
そこで、本実施の形態においては、上記内側支持部材３２の外周に６枚の羽部５２a〜５２fを設けて、回転時に半径方向外向きの風を発生させるのである。こうすることによって、ブラシ糸４２の根元に巻き付こうとする髪の毛を半径方向外向きの風によって吹き飛ばすことができるのである。
【００７２】
その場合、上記内側支持部材３２と固定部材３６との間に半径方向外向きの風が発生しない領域が存在すると、その領域から髪の毛が入り込んで、内側支持部材３２と固定部材３６との金属接合部に絡み付くことになる。そこで、本実施の形態においては、図６(b)に断面図で示すように、固定部材３６の外側を円筒形に形成し、内側支持部材３２の軸方向内側の一部を上記円筒形内に収納して、固定部材３６の軸方向最外端部から軸方向外側には絶えず内側支持部材３２の羽部５２a〜５２fが存在するようにしている。さらに、内側支持部材３２と固定部材３６との間にはクリアランスが設けてあるために、内側支持部材３２は固定部材３６に対して最大で上記クリアランスの分だけ外側に移動する場合がある。したがって、その場合であっても内側支持部材３２と固定部材３６との間に半径方向外向きの風が発生しない領域が存在しないように、内側支持部材３２の羽部５２a〜５２fと固定部材３６の円筒形部分とは、上記クリアランスの分だけオーバーラップするように配置されている。
【００７３】
また、上記内側支持部材３２の場合と同様に、上記外側支持部材３３の前面に４枚の羽部４７a〜４７dを設けて、回転時に軸方向外向きから半径方向外向きの風を発生させるのである。こうすることによって、外側からブラシ糸４２の根元に巻き付こうとする髪の毛を外周に向かって吹き飛ばすことができるのである。尚、本実施の形態においては、内側支持部材３２には６枚の羽部５２a〜５２fを設ける一方、外側支持部材３３には４枚の羽部４７a〜４７dを設けているが、これ等の羽部の枚数は上記枚数に限定されるものではない。
【００７４】
多数本の髪の毛が同時に掻き取られた場合には、総ての髪の毛が吸込口１６に導かれるまでには時間が掛かる。したがって、その場合には、隅ブラシ２２の根元周辺に髪の毛が滞留することになる。しかしながら、上記構成によれば、その間に内側支持部材３２および外側支持部材３３が固定部材３６に対して上記クリアランスの分だけ外側に移動したとしても、上記滞留している髪の毛が内側支持部材３２と固定部材３６との間に入り込むことが防止される。
【００７５】
また、上述したように、上記カバー２５の下から進入した空気を吸込口１６に導くための風路(イ)を、図３に示すように、カバー２５における前部２５bおよびリブ材３０と後部２５aと中間部２５cとで形成している。したがって、隅ブラシ２２によって掻き取られた髪の毛を、上述した風路(イ)を通る風によって速やかに吸込口１６に排出することができるのである。
【００７６】
但し、上記隅ブラシ２２によって掻き上げられた髪の毛の中には、風路(イ)の風に抗してブラシ糸４２から離脱せず、ブラシ糸４２に付着したまま回転しようとする髪の毛がある。そこで、図９(図３におけるＤ‐Ｄ'矢視断面図)に示すように、上側ケーシング１５における隅ブラシ２２の上部には、複数個(図９では４個)の空気取込穴５６を設け、この空気取込穴５６から吸い込まれた空気を、上側ケーシング１５の一部を構成して隅ブラシ２２の上側を覆う隅ブラシ・カバー５７とカバー２５のリブ材３０の間から隅ブラシ２２の表面に向けて斜め方向に吹き付ける風路(ロ)を形成している。こうすることによって、隅ブラシ２２のブラシ糸４２に付着したまま回転しようとする髪の毛を、風路(ロ)の風によって強制的に引き剥がすことができるのである。こうして、ブラシ糸４２から引き剥がされた髪の毛は、風路(イ)の風によって効率よく吸込口１６に排出される。
【００７７】
ここで、上記隅ブラシ・カバー５７における隅ブラシ２２と対向する面は、隅ブラシ２２の中心を中心とする円弧を成して滑らかに形成されており、ブラシ糸４２に付着して風路(ロ)の風によって引き剥がされなかった髪の毛を含む塵が隅ブラシ・カバー５７に付着しないようになっている。
【００７８】
上述したように、本実施の形態においては、上記構成を有する隅ブラシ２２と、内側支持部材３２に設けられた羽部５２a〜５２fと、外側支持部材３３に設けられた羽部４７a〜４７dと、２つの風路(イ),(ロ)とによって、隅ブラシ２２によって掻き上げた髪の毛等を軸に巻き付かないように効率よく吸込口１６に排出することができる。しかしながら、図３におけるノズル本体１３の角部から進入した髪の毛を含む塵は、隅ブラシ２２によって掻き取られる前に、吸込口１６に吸い込まれて排出されることが望ましい。そこで、本実施の形態においては、図３におけるバンパー３１の前部バンパー３１bと側部バンパー３１aとの間(つまり、隅ブラシ２２用の開口部)からカバー２５と前部バンパー３１bとの間を通って吸込口１６に至る風路(ハ)を形成している。こうすることによって、ノズル本体１３の角部から進入した髪の毛を含む塵は、吸込口１６から吸い込まれて排出される確率が高くなるのである。
【００７９】
また、本実施の形態においては、上記側部バンパー３１aは樹脂等の弾性体で形成されており、上側ケーシング１５によって上側のみが保持されて、外側支持部材３３の最外部とは十分に離間している。したがって、室内の壁に対して傷を付けることが無く、且つ、隅ブラシ２２や外側支持部材３３等の回転体を抵抗無く保護することができる。さらに、外側支持部材３３の羽部４７a〜４７dによって発生された風によって、髪の毛を回転体に巻き付かない位置まで吹き飛ばせる空間を確保できるのである。
【００８０】
上記カバー２５と一体に設けられて、上記隅ブラシ２２を両側から挟み込む２本のリブ３０a,３０bを有するリブ材３０は、隅ブラシ２２によって掻き取られた輪ゴムを除去するものである。隅ブラシ２２によって掻き取られた輪ゴムは、ブラシ糸４２に対して左右略均等に位置している場合には風路(ロ)の風と風路(イ)の風とによって、ブラシ糸４２から剥離されて吸込口１６に排出される。ところが、ブラシ糸４２に対して左右何れかにずれて位置している場合には、ブラシ糸４２に付着したまま回転する確率が高い。その場合には、リブ材３０のリブ３０a,３０bによって引っ掛けてブラシ糸４２から強制的に除去するのである。
【００８１】
以上のごとく、本実施の形態においては、上記構成を有する隅ブラシ２２を、外側支持部材３３と内側支持部材３２とで挟むと共に、ブラシ糸４２の根元を内側支持部材３２の突出部５１で押しつぶして保持するようにしている。こうして、ブラシ糸４２における根元の密度を先端部の密度よりも高くすることによって、髪の毛等がブラシ糸４２の根元に巻き付きにくくすることができるのである。したがって、単に、図１０に示す従来の副アジテータ５のモノフィラメントの攪拌部材に変えて捲縮糸を用いた場合では得られない効果を奏することができるのである。、
尚、上記実施の形態においては、上記吸込口体１３内に設けられたモータ１９によって隅ブラシ２２を回転させるパワーヘッドタイプの吸込口体１３を例に説明している。しかしながら、掃除機本体１１内の電動送風機によって吸い込まれる空気流を利用して回転ブラシ１８を回転させるタービンヘッドタイプの吸込口体にも適用可能であることは言うまでもない。
【００８２】
また、上記実施の形態においては、上記隅ブラシ２２を回転ブラシ１８と同じ６０００rpmで回転するとして説明しているが、６０００rpmとは異なる回転数であっても問題は無い。また、隅ブラシ２２の回転数を回転ブラシ１８の回転数と異なるようにしても差し支えない。さらに、上記実施の形態においては上記主回転体を回転ブラシ１８で構成しているが、この発明においては回転ブラシ１８に限定されるものではない。要は、モータやエアータービン等の駆動原によってが回転駆動されると共に、隅ブラシ２２を回転させることができるものであればよいのである。
【００８３】
また、上記実施の形態においては、上記隅ブラシ２２によって除去される塵を髪の毛として説明しているが、糸屑や、片栗粉のような微粉末でも同様の効果を奏することができる。
【図面の簡単な説明】
【００８４】
【図１】この発明の吸込み口体を備えた電気掃除機における概観図である。
【図２】図１における吸込口体の床側から見た正面図である。
【図３】図２における隅ブラシの部分の部分拡大図である。
【図４】図３におけるＣ‐Ｃ'矢視断面図である。
【図５】図３の側面図である。
【図６】隅ブラシの取り付け構造を示す側面図および縦断面図である。
【図７】内側支持部材および外側支持部材の正面図である。
【図８】隅ブラシの側面図および斜視図である。
【図９】図３におけるＤ‐Ｄ'矢視断面図である。
【図１０】従来の電気掃除機用床ノズルを示す断面図である。
【符号の説明】
【００８５】
１１…掃除機本体、
１２…延長管、
１３…吸込口体、
１４…下側ケーシング、
１５…上側ケーシング、
１６…吸込口、
１８…回転ブラシ、
１９…モータ、
２０…軸、
２２…隅ブラシ、
２５…カバー、
２６…ネジ、
２７…突出軸部、
２８…軸受部、
３０…リブ材、
３０a,３０b…リブ、
３１…バンパー、
３１a…側部バンパー、
３１b…前部バンパー、
３２…内側支持部材、
３３…外側支持部材、
３５…連結部材、
３６…固定部材、
４１…基布、
４２…ブラシ糸、
４７a〜４７d,５２a〜５２f…羽部(リブ)、
４９…円形溝、
５０,５４…中心穴、
５６…空気取込穴、
５７…隅ブラシ・カバー
(イ)〜(ハ)…風路。
【図１】
2005253656.tif 000003
【図２】
2005253656.tif 000004
【図３】
2005253656.tif 000005
【図４】
2005253656.tif 000006
【図５】
2005253656.tif 000007
【図６】
2005253656.tif 000008
【図７】
2005253656.tif 000009
【図８】
2005253656.tif 000010
【図９】
2005253656.tif 000011
【図１０】
2005253656.tif 000012